(57)【特許請求の範囲】
【請求項５】
屋根根の野地板の上に取り付けられるベース部と、
前記ベース部に取り付けられ太陽光パネルが設けられるカートリッジ部と、前記ベース部に対して着脱自在であり前記カートリッジ部を上方から押える庇部と、
を備え、
前記庇部には前記ベース部に挿入可能な挿入部を設け、
前記挿入部は、前記ベース部に対する前記庇部の逆挿入を防止するように非対称な形状とし、
前記非対称な形状の挿入部は、左右で幅寸法が異なる２本の挿入部からなる太陽電池モジュール。
【請求項６】
前記庇部には前記ベース部に挿入可能な挿入部を設け、
前記挿入部には前記ベース部からの当該庇部の抜け落ちを防止するための引っ掛け爪を形成した請求項５に記載の太陽電池モジュール。
【請求項８】
前記庇部には、当該庇部の内側への雨水の浸入を防ぐ防水リブを形成した請求項５又は６に記載の太陽電池モジュール。
【請求項９】
前記ベース部には軒側に辺部が形成されており、
前記庇部は前記ベース部の前記辺部全体に亘って一体的に設けられた請求項５、６、８のいずれかに記載の太陽電池モジュール。
【請求項１０】
前記庇部は隣接する庇部の端部同士をラップさせた請求項５、６、８、９のいずれかに記載の太陽電池モジュール。
【発明の詳細な説明】
【技術分野】
【０００１】
本発明の実施形態は、屋根に設置する太陽電池モジュールに関する。
【背景技術】
【０００２】
近年、太陽光エネルギーを利用する機器として、太陽電池モジュールが広く普及している。太陽電池モジュールの設置態様の１つに、建物の屋根上設置がある。中でも、太陽電池モジュールを屋根に直接敷く瓦型タイプは、デザイン性や施工性が良好であることから、注目を集めている。【０００３】
瓦型の太陽電池モジュールは、通常の瓦と同じく、複数のモジュール同士を有機的に組み合わせることで、棟方向から軒方向に流れる雨水をスムーズに建物の外部に流すことができる。また、瓦型の太陽電池モジュールを、ベース部とカートリッジ部とから構成したものが提案されている。【０００４】
ベース部とカートリッジ部を有する太陽電池モジュールでは、カートリッジ部に太陽光パネルを組み込むことで太陽光パネルの交換作業を効率よく行うことが可能である。ただし、ベース部とカートリッジ部との間には、わずかな隙間ができる。そのため、この隙間から微量な雨水がモジュール内部へ浸入することがある。【０００５】
そこで従来の太陽電池モジュールのベース部の表面側には、ベース部とカートリッジ部との隙間に浸入した雨水を、ベース部の外部へ流す排水経路が形成されている。排水経路の端部にはベース部を貫通する排水穴が形成されており、排水穴を流れ落ちた雨水が、雨樋などに集められて、最終的に建物の外部へと流されるようになっている。
【先行技術文献】
【特許文献】
【０００６】
【特許文献１】特開平１０−３１７６２２号公報
【特許文献２】特開平１１−１７２０４号公報
【特許文献３】特開平１１−１３２２４号公報
【特許文献４】特開平１１−３５３４６号公報
【特許文献５】特開２００１−９０２９４号公報
【特許文献６】特開２００１−１１１０７７号公報
【特許文献７】特開２００１−１８２２６４号公報
【特許文献８】特開２００１−１８２２３４号公報
【特許文献９】特開２００１−２５７３７２号公報
【特許文献１０】特開２００２−１１８２７８号公報
【特許文献１１】特開２００２−１１５３７２号公報
【特許文献１２】特開２００３−３６１２号公報
【特許文献１３】特開２００３−２８２９００号公報
【特許文献１４】特開２００３−３４４８４号公報
【特許文献１５】特開２００４−２９６９４２号公報
【特許文献１６】特開２００４−３００８２４号公報
【特許文献１７】特開２００４−２６３５４４号公報
【特許文献１８】特開２００５−２８２０５３号公報
【特許文献１９】特開２００５−３０７６８７号公報
【特許文献２０】特開２００６−１４８０４３号公報
【特許文献２１】特開２００６−３３２２８６号公報
【特許文献２２】特開２００６−２７００２４号公報
【特許文献２３】特開２００９−１２７３２７号公報
【特許文献２４】特開２００９−１９４０２４号公報
【特許文献２５】特開２００９−１３７８５号公報
【特許文献２６】特開２０１０−１２９８５３号公報
【特許文献２７】特開２０１０−１６３８１５号公報
【特許文献２８】特開２０１１−１４４６３４号公報
【特許文献２９】特開２０１３−２２４４号公報
【特許文献３０】特開２０１３−３０７３４号公報
【特許文献３１】特開２０１４−３０７５号公報
【特許文献３２】特開２０１４−３００１３号公報
【特許文献３３】特開２０１６−１０２３７０号公報
【特許文献３４】特開２０１６−１７６２５４号公報
【特許文献３５】登実第３１９１６８６号公報
【発明の概要】
【発明が解決しようとする課題】
【０００７】
従来の太陽電池モジュールには、次の課題が指摘されている。すなわち、雨量が多いと、排水経路あるいは排水穴から外部へ流れる排水が間に合わず、雨水がベース部の表側から裏側を伝わってしまうことがある。雨水がベース部の裏面を流れたとしてても、当該ベース部の下方に位置するモジュールのベース部の表面に落ちるのであれば、そのモジュールに形成された排水経路を通って雨水が流れていくので、何の問題も無い。【０００８】
しかしながら、雨水が下方のモジュールから外れ、ベース部の裏面から野地板の上に滴り落ちる可能性がある。野地板の上には通常、防水性を有するルーフィングシートが敷かれているものの、滴り落ちた雨水が溜まると漏水の要因となる。特に、集中豪雨への対策が要請される昨今では、野地板への雨水の落下を防ぐことができる太陽電池モジュールが望まれている。【０００９】
本発明の実施形態は、上述した問題を解決するためになされたものであり、野地板への雨水の落下を防いで漏水を防止することができる太陽電池モジュールを提供することを課題とする。
【課題を解決するための手段】
【００１１】
また、本発明の実施形態は、以下の構成要素を有するものも、発明の一態様である。
（１）屋根の野地板の上に取り付けられるベース部。
（２）前記ベース部に取り付けられるカートリッジ部。
（３）前記ベース部に対して着脱自在であり前記カートリッジ部を上方から押える庇部。
（４）前記庇部には前記ベース部に挿入可能な挿入部を設ける。
（５）前記挿入部は、前記ベース部に対する前記庇部の逆挿入を防止するように非対称な形状とする。
（６）前記非対称な形状の挿入部は、左右で幅寸法が異なる２本の挿入部からなる。
【図面の簡単な説明】
【００１２】
【図１】第１の実施形態におけるモジュールの設置態様を示す図。
【図２】第１の実施形態のベース部の平面図。第１の実施形態のカートリッジ部の平面図。
【図３】ベース部の裏面を流れる雨水の説明図。
【図４】第１の実施形態のベース部における要部平面図。
【図５】第１の実施形態のベース部及びカートリッジ部の断面図。
【図６】第１の実施形態のカートリッジ部の平面図。
【図７】第２の実施形態の要部斜視図。
【図８】第２の実施形態の庇部の斜視図。
【図９】第３の実施形態の要部斜視図。
【図１０】他の実施形態の庇部の平面図。
【発明を実施するための形態】
【００１３】
（第１の実施形態）
（全体構成）
第１の実施形態について図１〜図６を参照して具体的に説明する。第１の実施形態は、屋根に直接敷く瓦型の太陽電池モジュールである。図１を用いて、第１の実施形態における屋根上設置の態様について説明する。
【００１４】
図１に示すように、瓦型の太陽電池モジュール１（以下、単にモジュール１とも呼ぶ）は、矩形平板状である。モジュール１には、矩形平板状のベース部１１及びカートリッジ部２１が設けられている。ベース部１１は屋根の野地板２の上に取り付けられる。カートリッジ部２１はベース部１１に対して着脱自在にはめ込まれている。カートリッジ部２１には複数の太陽光パネル２２が配置されている。
【００１５】
ベース部１１及びカートリッジ部２１は、ＰＰＥなど、機械的性質に優れ温度や湿度による影響を受けにくい樹脂からなる。使用する樹脂は、重量、強度、耐火性及び耐候性を踏まえて適宜選択可能である。本実施形態ではベース部１１及びカートリッジ部２１を樹脂製としたことで、軽量化を進めることができ、且つ各モジュール１に対する接地工事を省くことができる。
【００１６】
モジュール１では、太陽光パネル２２の受光面を表面または上面とし、受光面とは反対側の面を裏面または下面とする。太陽光パネル２２の受光面に対して垂直に太陽光が当たる方向を露光方向とする。モジュール１は、屋根建材を兼ねており、野地板２の上にアレイ状に敷き詰められる。
【００１７】
野地板２とは、屋根の流れ寸法に沿った傾斜面であって、屋根の下地材である。野地板２の上には、防水性を有するルーフィングシート３が敷かれる。ルーフィングシート３の上には桟木４が設置され、桟木４の上に瓦５とモジュール１とが固定される。桟木４は、瓦５及びモジュール１を支持する桟である。桟木４は、屋根の流れ寸法方向、すなわち棟から軒方向に対して直交するように複数配置される。桟木４の設置間隔は、瓦５とモジュール１の大きさに一致しており、軒瓦の出寸法、軒瓦の登り寸法、桟瓦の登り働き寸法などによって決まる。 
【００１８】
瓦５は、長さ、幅及び働き寸法などがＪＩＳで定められている。瓦５には、桟木４に引っかける突起（図示せず）が設けられており、突起を桟木４に引っ掛けることで瓦５が屋根に固定される。また、瓦５にビスやネジを通す穴を設けておき、ビスやネジを用いて強固に瓦５を屋根に固定するようにしてもよい。本実施形態に係る瓦型のモジュール１は、このような瓦５との嵌合や収まりを考慮した構造であり、瓦５と同様の方法で、瓦５に混在させて屋根に葺くことが可能である。
【００１９】
（ベース部）
続いて、ベース部１１について、図２〜図５を用いて説明する。図２はベース部１１の平面図、図３はベース部１１の裏面を流れる雨水の説明図、図４はベース部１１の裏面側の要部拡大平面図、図５はベース部１１及びカートリッジ部２１の断面図である。
【００２０】
図２に示すように、矩形平板状であるベース部１１には、左右の辺部と、棟側の辺部と、軒側の辺部とが設けられている。ベース部１１には空隙部Ｘ、Ｙ、Ｚが隣接して開口されている。空隙部Ｘ、Ｙ、Ｚは、上縁部１７が左右方向に緩やかに下がっており、全体として五角形状となっている。また、ベース部１１の表側には、排水経路１２が設けられている。排水経路１２は、ベース部１１とカートリッジ部２１との隙間に浸入した雨水を、ベース部１１の外部へ流す経路である。
【００２１】
排水経路１２は、そこに付着した雨水が所定の方向に流れるように高低差が付けられている。排水経路１２では、向かい合って立ち上げられる低い壁部によって雨水の流路が形成される。排水経路１２における流路の幅や深さなどは適宜選択可能である。排水経路１２の端部にはベース部１１を貫通するようにして長方形状の排水穴１３が形成されている。排水穴１３に落下した雨水は、屋根に取り付けられた雨樋などに集められて、建物の外部へと流されるようになっている。
【００２２】
なお、図２ではベース部１１の表側の上辺部付近にのみ排水経路１２を示したが、排水経路１２を流れる雨水が、最終的に排水穴１３に流れ込むように構成されていればよく、例えばベース部１１の表側全体に排水経路１２が張り巡らされるように形成されていてもよい。また、排水穴１３の位置に関しても、図２ではベース部１１の右辺部に示したが、排水経路１２の構成に応じて適宜変更可能である。
【００２３】
排水穴１３に入った雨水のうち、排水穴１３から落下せずにベース部１１の裏側に付着してしまうものがある。例えば、排水穴１３に膜状となって残った雨水が振動などで排水穴１３から出た場合、水滴の表面張力でベース部１１の裏側に雨水が付着することがある。ベース部１１の裏側に付着した雨水は、ベース部１１の裏側を伝ってそのまま野地板２側に流れ落ちることがある（図３参照）。図３の複数の円弧状の矢印は、ベース部１１の裏側に伝わって雨水が野地板２側に流れ落ちる経路を示している。
【００２４】
そこで本実施形態では、図４に示すように、野地板２へ向かう雨水の流れを遮るようにして、ベース部１１の裏側に、水切りリブ１４が直線的に配置されている。水切りリブ１４は、排水穴１３に近接して、排水穴１３の長手方向と平行で、且つ排水穴１３の長手方向全体に亘って配置されている。水切りリブ１４は下方に向かって突出して形成される。水切りリブ１４によってせき止められた雨水は、排水穴１３側に戻るか、あるいは、野地板２側ではなく、下段に配置されるモジュール１に向かって落下するようになっている。
【００２５】
図５に示すように、ベース部１１の棟側（図５の右側）の辺部には、受光面とは反対方向に突出する突起部１５が設けられている。突起部１５は、モジュール１を葺設する際に桟木４に引っ掛けられ、モジュール１が桟木４に係止される。また、ベース部１１の軒側（図５の左側）の辺部には、垂れ１６が設けられている。垂れ１６は瓦５に乗せた状態で係止される。さらにベース部１１には、耐火部材１８が取り付けられている。耐火部材１８は、カートリッジ部２１の太陽光パネル２２の下方に配置される。耐火部材１８は、耐火性を有し、一枚の平板を波状に加工した樹脂製の部材からなる。
【００２６】
（カートリッジ部）
次に、カートリッジ部２１について説明する。図６に示すように、カートリッジ部２１は略矩形状であり、中央部に配置される太陽光パネル２２と、太陽光パネル２２を囲むフレーム２４とから構成される。
【００２７】
太陽電池パネル２２は、所望の電圧及び電流を得るように、太陽電池セル２３を縦に２行且つ横に７列のアレイ状に直並列に配置した板である。太陽電池セル２３は、光起電力効果により光エネルギーを電力変換する発電体であり、一辺が５インチの正方形型のタイプを用いている。太陽光パネル２２は、太陽電池セル２３をＥＶＡ等の充填剤で封止し、更に受光面をガラス板等の保護板で覆っている。
【００２８】
（作用と効果）
（１）以上のような構成を有する第１の実施形態は、排水穴１３に近接して水切りリブ１４を配置する。水切りリブ１４は、ベース部１１の裏側に伝わって流れる雨水が野地板２に向かって流れることを遮る。そのため、第１の実施形態においては、雨水が野地板２の上に滴り落ちることを防ぐことができる。
【００２９】
しかも、第１の実施形態では、水切りリブ１４を排水穴１３の長手方向と平行で、且つ排水穴１３の長手方向全体に亘って配置している。したがって、水切りリブ１４は、排水穴１３から溢れる雨水を完全にせき止めることができ、雨水は野地板２側に流れずに、排水穴１３側に戻るように流れるか、あるいは、下段のモジュール１に落下する。つまり、雨水が野地板２の上に滴り落ちる心配が全くない。
【００３０】
このような第１の実施形態によれば、強い雨が長く降り続き、排水穴１３から雨水が溢れてベース部１１の裏側に多量の雨水が流れたとしても、野地板２への雨水の落下を確実に防ぐことができる。これにより、漏水の要因を確実に排除することができ、防水性が向上した太陽電池モジュール１を提供することができる。
【００３１】
（２）また、第１の実施形態では、各モジュール１のベース部１１の表側に雨水の排水経路１２を設けている。そのため、水切りリブ１４によってせき止められた雨水が、下方に位置するモジュール１に落下しても、その雨水は、落下したモジュール１の排水経路１２を流れて、ベース部１１の外部に流される。また、下方のモジュール１にて、ベース部１１の裏側に伝わって雨水が流れたとしても、その雨水に関しては下方のモジュール１の水切りリブ１４が野地板２に向かって流れることを遮るので、モジュール１は全体として、野地板２への雨水の落下を防ぐことができる。
【００３２】
（３）さらに、第１の実施形態では、空隙部Ｘ、Ｙ、Ｚの上縁部１７が左右方向に緩やかに下がっているので、空隙部Ｘ、Ｙ、Ｚの上縁部１７に付着した雨水は、空隙部Ｘ、Ｙ、Ｚの内周部に沿って下方に流れていく。そのため、雨水は左右の縁部を伝って下方に位置するモジュール１へと確実に落下する。
【００３３】
空隙部Ｘ、Ｙ、Ｚはベース部１１に大きく開口することができるので、ベース部１１の裏面に浸入した雨水のうち、少なからぬ量の雨水が空隙部Ｘ、Ｙ、Ｚの内周部に付着する。したがって、相対的に、排水穴１３から野地板２に向かって流れる雨水の量は少なくなり、水切りリブ１４は雨水を容易にせき止めることができる。このような空隙部Ｘ、Ｙ、Ｚを有する第１の実施形態では、野地板２への雨水の落下をより確実に防止することができ、優れた防水性を確保することが可能である。
【００３４】
（第２の実施形態）
（構成）
第２の実施形態について、図７及び図８を用いて具体的に説明する。図７は第２の実施形態の要部斜視図、図８は第２の実施形態の庇部の斜視図である。第２の実施形態は、第１の実施形態と同様、瓦型の太陽電池モジュールであって、基本的な構成は同一である。そのため、同一の構成要素に関しては同一符号を付して説明は省略する。
【００３５】
図７に示すように、第２の実施形態は、ベース部１１とカートリッジ部２１との棟側の嵌合部において、カートリッジ部２１を上方から押える庇部３０が、ベース部１１に複数設けられたものである。庇部３０は、ベース部１１に対してカートリッジ部２１を挿抜自在に嵌合し、カートリッジ部２１にかかる負圧の引き上げ方向の力を、上方から押え込むことを目的とした部材である。
【００３６】
このような庇部３０をベース部１１と一体的に形成すると、ベース部１１が樹脂製であることから、庇部３０に対向する部分には必然的に穴が設けられることになる。この時の穴は、ベース部１１とカートリッジ部２１との棟側の嵌合部に近接して設けられるので、雨水がベース部１１とカートリッジ部２１との間隙に浸入する可能性が高くなる。そこで第２の実施形態では、庇部３０に対応した穴を、ベース部１１とカートリッジ部２１との棟側の嵌合部に形成しないように、庇部３０をベース部１１とは別部材として、ベース部１１に対して庇部３０を着脱自在に取り付けている。
【００３７】
図８を用いて、庇部３０の構成について詳しく説明する。図８に示すように、庇部３０には軒側に延びる平板状の庇３０ａが設けられている。また、庇部３０には、２本の挿入爪３１ａ、３１ｂが形成されている。２本の挿入爪３１ａ、３１ｂに挟まれるようにして、幅広の中央爪３２が設けられている。２本の挿入爪３１ａ、３１ｂ及び中央爪３２は、庇３０ａが延びる方向と反対方向に延びて設けられている。中央爪３２の中ほどに引っ掛け爪３２ａが形成されている。
【００３８】
挿入爪３１ａ、３１ｂ及び中央爪３２がベース部１１におけるカートリッジ部２１との棟側の嵌合部に挿入されることで、庇部３０がベース部１１に取り付けられる。このとき、引っ掛け爪３２ａは、ベース部１１側の所定の穴部分に引っ掛けられ、庇部３０の抜け落ちを防止するようになっている。
【００３９】
図８の（ｂ）に示すように、２本の挿入爪３１ａ、３１ｂは、ベース部１１に対して庇部３０の逆挿入を防止するように非対称な形状に設けられている。具体的には、２本の挿入爪３１ａ、３１ｂは、左右で幅寸法が異なるように構成されている。また、図８の（ｃ）に示すように、庇部３０には、庇３０ａの裏側に相当する位置に、庇部３０の内側への雨水の浸入を防ぐために、防水リブ３３が形成されている。
【００４０】
（作用と効果）
（１）以上のような構成を有する第２の実施形態は、庇部３０をベース部１１に対して着脱自在に設けたことで、庇部３０をベース部１１に一体的に形成した場合と異なり、ベース部１１の辺部に庇部３０による穴が形成されることがない。したがって、ベース部１１の裏側への雨水の浸入を防ぐことができる。また、庇部３０の庇３０ａの裏側には防水リブ３３を設けたので、庇部３０の内側への雨水の浸入も防ぐことができる。
【００４１】
これにより、防水性が向上した太陽電池モジュール１を提供することができる。しかも、第２の実施形態では、庇部３０がカートリッジ部２１を上方から押えるので、カートリッジ部２１に対する引き上げ方向の力を押え込むことができ、ベース部１１とカートリッジ部２１とを強固に嵌合させることができる。
【００４２】
（２）また、第２の実施形態の庇部３０では、引っ掛け爪３２ａを設けたので、ベース部１１からの庇部３０の抜け落ちを防止することができる。さらに、挿入爪３１ａ、３１ｂは非対称な形状に設けたので、ベース部１１に対して庇部３０を上下逆さまに挿入することがなく、組立作業の効率を高めることがてきる。
【００４３】
（第３の実施形態）
（構成）
第３の実施形態について図９を用いて具体的に説明する。図９は第３の実施形態の要部斜視図である。第３の実施形態は、第２の実施形態と同様、庇部を有する瓦型の太陽電池モジュールであって、基本的な構成は同一である。そのため、同一の構成要素に関しては同一符号を付して説明は省略する。図９に示すように、第３の実施形態は、カートリッジ部２１を上方から押える庇部３４が、ベース部１１の辺部全体に亘って一体的に設けられたものである。
【００４４】
（作用と効果）
以上のような構成を有する第３の実施形態は、庇部３４をベース部１１の辺部全体に亘って一体的に設けたので、庇部３０を複数設けた場合と異なり、庇部３０間の隙間を無くすことができる。そのため、庇部３０間の隙間からベース部１１内に雨水が浸入することがない。特に、前方から風雨が吹き上げられても、庇部３４は優れた防水性を発揮することができる。
【００４５】
（他の実施形態）
本明細書においては、本発明に係る複数の実施形態を説明したが、これらの実施形態は例として提示したものであって、発明の範囲を限定することを意図していない。具体的には、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【００４６】
例えば、水切りリブ１４の形状や寸法、配置箇所などは適宜変更可能であり、第１の実施形態に示した水切りリブ１４は直線的に設けたが、長方形状の排水穴１３の２辺を囲うようにＬ字状であっても構わない。また、排水穴１３は円形であってもよい。このとき、排水穴１３を囲むように水切りリブ１４を曲線的に設けてもよい。排水穴１３は、ベース部１１に形成した切欠から構成してもよい。
【００４７】
また、排水穴１３と水切りリブ１４との間には、雨水が野地板２に向かう方向とは異なる方向に流れるように、傾斜面を設けるようにしてもよい。より具体的には、水切りリブ１４付近よりも排水穴１３付近の方が下方に来るような傾斜面を、ベース部１１の裏面に設けるようにしてもよい。
【００４８】
この実施形態によれば、水切りリブ１４付近よりも排水穴１３付近の方が低いため、排水穴１３側から水切りリブ１４に向かって雨水が流れ難い。また、排水穴１３側から水切りリブ１４側に雨水が伝って流れたとしても、水切りリブ１４がせき止めた雨水は、傾斜面を沿って排水穴１３側に戻るように流れるので、野地板２への雨水の落下を、より確実に防ぐことができる。
【００４９】
第３の実施形態では、庇部３４をベース部１１の辺部全体に亘って一体的に設けているが、樹脂製の部材を高い精度で長尺に製造することは難しく、コストがかかる。そこで、図１０に示す庇部３５は、３つのパーツからなり、各パーツの端部同士がラップされて接合されている。図１０の符号３６はラップ部を示している。
【００５０】
このような実施形態によれば、３つのパーツをラップさせて接合した庇３５としたことで、複数のパーツから庇部３５を構成したとしても、接合部からの雨水の侵入リスクを軽減することができる。また、庇部３５を三分割したので、単一のパーツから製造した場合と比べて製造が容易となり、コスト的に有利である。
【符号の説明】
【００５１】
１…モジュール
２…野地板
３…ルーフィングシート
４…桟木
５…瓦
１１…ベース部
１２…排水穴
１３…排水溝
１４…水切りリブ
１５…突起部
１６…垂れ
１７…空隙部の上縁部
１８…耐火部材
２１…カートリッジ部
２２…太陽光パネル
２３…太陽電池セル
３０、３４、３５…庇部
３０ａ…庇
３１ａ、３２１ｂ…挿入爪
３２…中央爪
３２ａ…引っ掛け爪
３３…防水リブ
３６…ラップ部
Ｘ、Ｙ、Ｚ…空隙部
【図１】
0006692489.tif 000002
【図２】
0006692489.tif 000003
【図３】
0006692489.tif 000004
【図４】
0006692489.tif 000005
【図５】
0006692489.tif 000006
【図６】
0006692489.tif 000007
【図７】
0006692489.tif 000008
【図８】
0006692489.tif 000009
【図９】
0006692489.tif 000010
【図１０】
0006692489.tif 000011